(57)【要約】【課題】基地局送信波と直接送信波を同時に送受信できる無線端末装置において、音声の頭切れを抑制するとともに、消費電力を低減する。【解決手段】基地局を介して他の無線端末装置との間で基地局波を送受信し、同時に、他の無線端末装置との間で直接波を送受信する無線端末装置が、基地局波を受信して復調し基地局波を変調して送信する基地局波送受信部と、基地局波の音声符号化／復号化処理を行う基地局波処理部と、直接波を受信して復調し直接波を変調して送信する直接波送受信部と、直接波の音声符号化／復号化処理を行う直接波処理部と、基地局波送受信部の受信信号に含まれる送信元の無線端末装置を特定する装置識別子が、直接波送受信部の受信信号に含まれる装置識別子と一致する場合に、直接波処理部への電源供給を停止させる制御部と、を備える。【選択図】  図３
2013106174.tif 000002
【特許請求の範囲】
【請求項１】
基地局を介して他の無線端末装置との間で無線信号を送受信し、同時に、前記他の無線端末装置との間で無線信号を直接送受信する無線端末装置であって、
音声が入力され音声信号を出力するマイクと、
音声信号が入力され音声を出力するスピーカと、
前記基地局から無線信号を受信して復調するとともに、前記基地局に対し無線信号を変調して送信する基地局波送受信部と、
前記基地局波送受信部で受信した信号の音声復号化処理を行い前記スピーカに出力するとともに、前記マイクから入力された音声信号の音声符号化処理を行い前記基地局波送受信部に対して出力する基地局波処理部と、
前記他の無線端末装置から無線信号を直接受信して復調するとともに、前記他の無線端末装置に対し無線信号を変調して直接送信する直接波送受信部と、
前記直接波送受信部で受信した信号の音声復号化処理を行い前記スピーカに出力するとともに、前記マイクから入力された音声信号の音声符号化処理を行い前記直接波送受信部に対して出力する直接波処理部と、
前記基地局波送受信部で受信した信号に含まれる送信元の無線端末装置を特定する装置識別子が、前記直接波送受信部で受信した信号に含まれる送信元の無線端末装置を特定する装置識別子と一致する場合に、前記直接波処理部への電源供給を停止させる制御部と、を備えることを特徴とする無線端末装置。
【発明の詳細な説明】
【技術分野】
【０００１】
本発明は、基地局を介して無線端末装置と無線端末装置との間で無線通信を行う基地局通信や、基地局を介さずに無線端末装置と無線端末装置との間で無線通信を行う端末間直接通信を行う無線端末装置に関し、特に、他の無線端末装置からの基地局送信波と直接送信波を同時に受信することのできる無線端末装置において、受信時における通話の頭切れを抑制し、消費電力を低減することのできる無線端末装置に関するものである。
【背景技術】
【０００２】
図１に本技術分野に関する無線通信システムの概略構成例を示す。
図１のシステムでは、基地局１０と、無線端末装置２０（１）〜２０（２）と、指令台（不図示）と、回線制御装置（不図示）を備えている。図１では、基地局１０は１台で無線端末装置２０は２台であるが、これらより多くてもよい。なお、基地局を代表する場合は基地局１０と称し、無線端末装置を代表する場合は無線端末装置２０と称する。
指令台と回線制御装置は、有線の伝送路により接続され、回線制御装置と基地局１０は、有線あるいはマイクロ回線等の伝送路により接続されている。
基地局１０と無線端末装置２０は無線により接続可能となっており、指令台と無線端末装置２０、および無線端末装置２０同士は、基地局１０を介する基地局通信により通信接続される。また、無線端末装置２０同士は、基地局１０を介さない無線端末装置間直接通信により接続可能となっている。
【０００３】
また、無線端末装置２０は、基地局１０へ向けた基地局送信波と他の無線端末装置２０へ直接向けた直接送信波を同時に送信し、また、基地局１０からの基地局送信波と他の無線端末装置２０からの直接送信波を同時に受信することができる。このため、無線端末装置２０においては、基地局送信波の送受信部と直接送信波の送受信部とを別に設け、各送受信部からの信号を音声復号化処理し、各送受信部への信号を音声符号化処理する音声符号化／復号化処理部を１つ設け、この音声符号化／復号化処理部を間欠的に切り換えて、基地局送信波と直接送信波の送受信処理を行っている。
【０００４】
図１では、無線端末装置２０（１）が、基地局１０へ向けた基地局送信波をアンテナ２１（１）を介して送信し、同時に、無線端末装置２０（２）へ直接向けた直接送信波をアンテナ３１（１）を介して送信することができ、また、無線端末装置２０（２）が、基地局１０からの基地局送信波をアンテナ２１（２）を介して受信し、同時に、無線端末装置２０（１）からの直接送信波をアンテナ３１（２）を介して受信できることが示されている。
【０００５】
この無線通信システムにおいては、音声データを伝送するチャネル１つに対して１つのキャリアを割り当てるＳＣＰＣ方式（Single Channel Per Carrier）が用いられ、さらに非常送方式が用いられている。非常送方式の無線通信システムにおいては、同期をとるための周期的な同期データ送信を行わず、必要時に突発的に同期信号とともに音声データを送信するので、基地局及び無線端末装置は、音声データを送信するときに、音声データの前に受信の同期をとるための同期信号（同期バースト；ＳＢ(Synchronous Burst)）を付加して送信するように構成されている。
ＳＣＰＣ方式のデジタル無線システムは、例えば、デジタル通信方式標準規格ＡＲＩＢ ＳＴＤ−Ｔ６１で規定されている。
下記の特許文献１には、ＡＲＩＢ ＳＴＤ−Ｔ６１に基づくＳＣＰＣ方式のデジタル無線システムが記載されている。
【先行技術文献】
【特許文献】
【０００６】
【特許文献１】特開２０１１−７１７０３公報
【発明の概要】
【発明が解決しようとする課題】
【０００７】
上述した無線端末装置においては、基地局送信波と直接送信波を同時に受信し音声処理するために、１つの音声符号化／復号化処理部を間欠的に切り換えて、基地局送信波と直接送信波の音声符号化／復号化処理を行っているので、一方の音声符号化／復号化処理を行うタイミングで、他方の受信が発生すると、受信している方の音声符号化／復号化処理が行えず、受信音声の頭切れが発生するおそれがある。また、消費電力低減のために、従来の無線端末装置においては、音声符号化／復号化処理部がパワーセーブモードになる。しかし、パワーセーブモードになると、受信時に音声符号化／復号化処理部が電源オンになるまでに時間がかかり、受信音声の頭切れが発生してしまう。
本発明は、このような従来の課題を解決するために為されたもので、基地局送信波と直接送信波を同時に送受信できる無線端末装置において、受信音声の頭切れを抑制することを目的とする。
【課題を解決するための手段】
【０００８】
上記課題を解決するための、本願発明の無線端末装置の代表的な構成は、次のとおりである。すなわち、
基地局を介して他の無線端末装置との間で無線信号を送受信し、同時に、前記他の無線端末装置との間で無線信号を直接送受信する無線端末装置であって、
音声が入力され音声信号を出力するマイクと、
音声信号が入力され音声を出力するスピーカと、
前記基地局から無線信号を受信して復調するとともに、前記基地局に対し無線信号を変調して送信する基地局波送受信部と、
前記基地局波送受信部で受信した信号の音声復号化処理を行い前記スピーカに出力するとともに、前記マイクから入力された音声信号の音声符号化処理を行い前記基地局波送受信部に対して出力する基地局波処理部と、
前記他の無線端末装置から無線信号を直接受信して復調するとともに、前記他の無線端末装置に対し無線信号を変調して直接送信する直接波送受信部と、
前記直接波送受信部で受信した信号の音声復号化処理を行い前記スピーカに出力するとともに、前記マイクから入力された音声信号の音声符号化処理を行い前記直接波送受信部に対して出力する直接波処理部と、
前記基地局波送受信部で受信した信号に含まれる送信元の無線端末装置を特定する装置識別子が、前記直接波送受信部で受信した信号に含まれる送信元の無線端末装置を特定する装置識別子と一致する場合に、前記直接波処理部への電源供給を停止させる制御部と、を備えることを特徴とする無線端末装置。
【発明の効果】
【０００９】
基地局送信波と直接送信波を同時に受信する無線端末装置において、基地局波送受信部からの信号を音声復号化処理し、基地局波送受信部への信号を音声符号化処理する基地局波処理部と、直接波送受信部からの信号を音声復号化処理し、直接波送受信部への信号を音声符号化処理する直接波処理部とを、それぞれ設けるようにしたので、受信音声の頭切れ発生を抑制することができる。
また、基地局送信波と直接送信波とに含まれる送信元の装置識別子が一致する場合に、直接波処理部への電源供給を停止させるようにしたので、無線端末装置の消費電力を低減することができる。
【図面の簡単な説明】
【００１０】
【図１】本発明の実施形態に係る無線通信システムの概略構成例を示す図である。
【図２】本発明の実施形態に係る無線端末装置の構成を示す図である。
【図３】本発明の実施形態に係る無線端末装置の動作を示す図である。
【発明を実施するための形態】
【００１１】
以下、本発明の実施形態について図１〜図３を用いて説明する。図１は、背景技術の説明で述べたように、本技術分野に関する無線通信システムの概略構成例であり、本発明の実施形態に係る無線通信システムの概略構成例を示す図である。
本実施形態の無線通信システムにおいては、無線端末装置２０の構成が、次に述べるように、背景技術で述べた無線端末装置と異なっており、他の点は、背景技術で述べたものと同様である。
【００１２】
すなわち、背景技術の無線端末装置２０は、基地局波送受信部からの信号を音声復号化処理し、基地局波送受信部への信号を音声符号化処理する音声符号化／復号化処理と、直接波送受信部からの信号を音声復号化処理し、直接波送受信部への信号を音声符号化処理する音声符号化／復号化処理とを、共通の１つの音声符号化／復号化処理部とし、この音声符号化／復号化処理部を間欠的に切り換えて、基地局波と直接波の音声処理を行うようにしたが、本実施形態の無線端末装置２０は、基地局波送受信部からの信号を音声復号化処理し、基地局波送受信部への信号を音声符号化処理する基地局波処理部と、直接波送受信部からの信号を音声復号化処理し、直接波送受信部への信号を音声符号化処理する直接波処理部とを、別な構成としてそれぞれ設けるようにした。
【００１３】
図２は、本発明の実施形態における無線端末装置２０の概略構成を示すブロック図である。
図２において、２７は音声が入力され音声信号を出力するマイク、２８は音声信号が入力され音声を出力するスピーカ、２９は、使用者からの入力を受け付ける操作部である。操作部２９は、例えばＰＴＴ（Push To Talk）を行うためのＰＴＴボタン等を有し、ＰＴＴボタンにより、通信の際に使用者からの送信の指示を受け付ける。例えばＰＴＴボタンを押している間、その無線端末装置２０は通信の送信中状態となる。２１は、基地局１０を介して他の無線端末装置２０との間で無線信号を送受信、つまり基地局波を送受信する基地局波アンテナである。
【００１４】
２２は、基地局波アンテナ２１で受信した信号を高周波増幅し、所定の中間周波数に変換し、復調するとともに、後述する基地局波処理部２３からの信号を、変調し、高周波信号に変換し、基地局波アンテナ２１から送信する基地局波送受信部である。
２３は、基地局波送受信部２２で受信した信号の音声復号化処理を行い、スピーカ２８へ出力するとともに、マイク２７から入力された音声信号の音声符号化処理を行い基地局波送受信部２２に対して出力する基地局波処理部である。
【００１５】
３１は、基地局１０を介さずに他の無線端末装置２０との間で無線信号を送受信、つまり直接波を送受信する直接波アンテナ、３２は、直接波アンテナ３１で受信した信号を高周波増幅し、所定の中間周波数に変換し、復調するとともに、後述する直接波処理部３３からの信号を、変調し、高周波信号に変換し、直接波アンテナ３１から送信する直接波送受信部である。
３３は、直接波送受信部３２で受信した信号の音声復号化処理を行い、スピーカ２８へ出力するとともに、マイク２７から入力された音声信号の音声符号化処理を行い直接波送受信部３２に対して出力する直接波処理部である。
【００１６】
２５は無線端末装置２０の上記各構成部を制御する制御部、２６は制御部２５と接続された記憶部である。記憶部２６は、制御部２５のＣＰＵが動作する動作プログラムを記憶しており、制御部２５のＣＰＵは、記憶部２６から動作プログラムを読み出して動作する。また、記憶部２６は、当該無線端末装置２０の装置ＩＤ（装置識別子）を記憶している。該装置ＩＤは、例えば、当該無線端末装置２０の使用者により操作部２９から入力される。
また、制御部２５は、後述するように、直接波処理部３３への電源供給を制御する、つまり、直接波処理部３３の電源を切断、又は投入する制御を行う。
【００１７】
基地局波処理部２３と直接波処理部３３は、本実施形態においては、それぞれ、１つのＤＳＰ（Digital Signal Processor）から構成されるが、それぞれ、複数のＤＳＰから構成されるようにしてもよい。また、必ずしもＤＳＰで構成する必要はなく、要は、制御部２５が、直接波処理部３３の電源供給を、基地局波処理部２３の電源供給から独立して制御できればよい。
【００１８】
次に、本実施形態に係る無線端末装置の動作について説明する。ここでは例として、図１に示す無線端末装置２０（１）から無線端末装置２０（２）へ音声送信する場合の動作について説明する。
まず、無線端末装置２０（１）における送信動作について説明する。
無線端末装置２０（１）において、使用者が操作部２９のＰＴＴボタンを押下すると、ＰＴＴボタンを押している間、その無線端末装置２０（１）は通信の送信中状態となる。そのときマイク２７から入力される音声信号は、基地局波処理部２３で音声符号化処理された後、基地局波送受信部２２に入力され、また、直接波処理部３３で音声符号化処理された後、直接波送受信部３２に入力される。
【００１９】
基地局波送受信部２２に入力された信号は、送信のための所定の変調がなされ、所定の送信周波数に変換され、アンテナ２１から出力され、基地局１０へ送信される。また、直接波送受信部３２に入力された信号は、送信のための所定の変調がなされ、所定の送信周波数に変換され、アンテナ３１から出力され、無線端末装置２０（２）へ直接送信される。
このとき、制御部２５は、記憶部２６から当該無線端末装置２０の装置ＩＤを読み出して、基地局波送受信部２２及び直接波送受信部３２からの出力信号に付加する。
【００２０】
次に、無線端末装置２０（２）における受信動作について説明する。
基地局１０からの無線信号は、無線端末装置２０（２）のアンテナ２１で受信され、基地局波送受信部２２に入力される。基地局波送受信部２２に入力された信号は、高周波増幅され、所定の中間周波数に変換され、復調され、基地局波処理部２３と制御部２５に供給される。基地局波処理部２３に供給された信号は、基地局波処理部２３で音声復号化処理され、スピーカ２８から音声出力される。制御部２５に供給された信号は、制御部２５で解析され、該基地局波信号中に含まれる装置ＩＤが検出される。
【００２１】
また、無線端末装置２０（１）からの直接通信による無線信号は、アンテナ３１で受信され、直接波送受信部３２に入力される。直接波送受信部３２に入力された信号は、高周波増幅され、所定の中間周波数に変換され、復調され、直接波処理部３３と制御部２５に供給される。制御部２５に供給された信号は、制御部２５で解析され、該直接波信号中に含まれる装置ＩＤが検出される。
【００２２】
制御部２５は、基地局波信号中に含まれる装置ＩＤと、直接波信号中に含まれる装置ＩＤとを比較し、両者が一致している場合は、同じ無線端末装置からの音声信号であると判断できるので、直接波処理部３３への電源供給を停止する。その後、基地局波送受信部２２における受信動作が停止したとき、つまり、基地局波が停止したときに、直接波処理部３３への電源供給を再開する。このようにして、同じ無線端末装置からの音声信号を受信しているときに、直接波処理部３３の電源を切断（ＯＦＦ）するので、消費電力を低減することができる。
【００２３】
次に、無線端末装置２０における制御部２５の処理を、図３を用いて説明する。図３は、本実施形態に係る無線端末装置の動作を示す図である。制御部２５は、図３の処理を、例えば周期的に繰り返し実行する。
まず、無線端末装置２０は、基地局波送受信部２２及び直接波送受信部３２からの信号に基づき、基地局波と直接波を両方とも受信中であるか否かを判断する（ステップＳ１）。基地局波と直接波を両方とも受信中である場合は（ステップＳ１でＹｅｓ）、受信中の基地局波と直接波に含まれる装置ＩＤが一致するか否かを判断する（ステップＳ２）。装置ＩＤが一致する場合は（ステップＳ２でＹｅｓ）、基地局波と直接波が両方とも同じ無線端末装置からの音声信号であると判断できるので、直接波処理部３３（直接波処理用ＤＳＰ）の電源をオフ（ＯＦＦ）し（ステップＳ３）、処理を終了する。
【００２４】
受信中の基地局波と直接波に含まれる装置ＩＤが一致しない場合は（ステップＳ２でＹｅｓ）、基地局波と直接波が両方とも異なる無線端末装置からの音声信号であると判断できるので、基地局波送受信部２２（基地局波処理用ＤＳＰ）の電源および直接波処理部３３（直接波処理用ＤＳＰ）の電源をオン（ＯＮ）に維持したまま、処理を終了する。
【００２５】
基地局波と直接波を両方とも受信中ではない場合は（ステップＳ１でＮｏ）、基地局波を受信中でなく、かつ直接波処理部３３（直接波処理用ＤＳＰ）の電源がオフ状態であるか否かを判断する（ステップＳ４）。基地局波を受信中でなく、かつ直接波処理部３３（直接波処理用ＤＳＰ）の電源がオフ状態である場合は（ステップＳ４でＹｅｓ）、直接波処理部３３（直接波処理用ＤＳＰ）の電源をオン（ＯＮ）し（ステップＳ５）、処理を終了する。つまり、ステップＳ３で直接波処理部３３の電源をオフしたときに受信中であった基地局波が停止したときに、直接波処理部３３への電源供給を再開する。
ステップＳ４でＮｏの場合、つまり、（１）直接波処理部３３（直接波処理用ＤＳＰ）の電源がオンの場合や、又は（２）基地局波のみを受信中の場合は、基地局波送受信部２２（基地局波処理用ＤＳＰ）の電源状態および直接波処理部３３（直接波処理用ＤＳＰ）の電源状態を変えることなく維持したまま、処理を終了する。
【００２６】
本実施形態によれば、少なくとも次の（１）〜（２）の効果を得ることができる。
（１）基地局送信波と直接送信波を同時に受信する無線端末装置において、音声符号化／復号化処理を行う基地局波処理部と直接波処理部をそれぞれ設け、該それぞれの処理部はパワーセーブモード（休止状態）にしないので、受信音声の頭切れ発生を抑制することができる。
（２）基地局送信波と直接送信波を同時に受信中に、基地局送信波と直接送信波とにそれぞれ含まれる送信元の装置識別子が一致する場合は直接波処理部の電源をオフするので、それぞれの処理部をパワーセーブモードにしなくても、消費電力を低減することができる。つまり、各処理部は、受信待受時の消費電力よりも受信時の消費電力の方が多いため、本実施形態によれば、パワーセーブモードにしなくても、トータルの消費電力を低減することができる。
【００２７】
なお、本発明は、前記実施形態に限定されるものではなく、その要旨を逸脱しない範囲で種々に変更が可能であることはいうまでもない。
例えば、上述した実施形態では、基地局送信波と直接送信波を同時に受信中に、基地局送信波と直接送信波とに含まれる送信元の装置識別子が一致する場合は直接波処理部の電源をオフするようにしたが、代わりに、基地局送信波処理部の電源をオフするように構成することも可能である。
また、本発明は、本発明に係る処理を実行する装置としてだけでなく、システム、方法として、或いは、このような方法やシステムを実現するためのプログラムや当該プログラムを記録する記録媒体などとして把握することができる。
また、本発明は、ＣＰＵがメモリに格納された制御プログラムを実行することにより制御する構成としてもよく、また、ハードウエア回路として構成してもよい。
【００２８】
本明細書には、少なくとも次の発明が含まれる。
第１の発明は、
基地局を介して他の無線端末装置との間で無線信号を送受信し、同時に、前記他の無線端末装置との間で無線信号を直接送受信する無線端末装置であって、
音声が入力され音声信号を出力するマイクと、
音声信号が入力され音声を出力するスピーカと、
前記基地局から無線信号を受信して復調するとともに、前記基地局に対し無線信号を変調して送信する基地局波送受信部と、
前記基地局波送受信部で受信した信号の音声復号化処理を行い前記スピーカに出力するとともに、前記マイクから入力された音声信号の音声符号化処理を行い前記基地局波送受信部に対して出力する基地局波処理部と、
前記他の無線端末装置から無線信号を直接受信して復調するとともに、前記他の無線端末装置に対し無線信号を変調して直接送信する直接波送受信部と、
前記直接波送受信部で受信した信号の音声復号化処理を行い前記スピーカに出力するとともに、前記マイクから入力された音声信号の音声符号化処理を行い前記直接波送受信部に対して出力する直接波処理部と、
前記基地局波送受信部で受信した信号に含まれる送信元の無線端末装置を特定する装置識別子が、前記直接波送受信部で受信した信号に含まれる送信元の無線端末装置を特定する装置識別子と一致する場合に、前記直接波処理部への電源供給を停止させる制御部と、を備えることを特徴とする無線端末装置。
【００２９】
第２の発明は、
基地局を介して他の無線端末装置との間で無線信号を送受信し、同時に、前記他の無線端末装置との間で無線信号を直接送受信する無線端末装置であって、
音声が入力され音声信号を出力するマイクと、
音声信号が入力され音声を出力するスピーカと、
前記基地局から無線信号を受信して復調するとともに、前記基地局に対し無線信号を変調して送信する基地局波送受信部と、
前記基地局波送受信部で受信した信号の音声復号化処理を行い前記スピーカに出力するとともに、前記マイクから入力された音声信号の音声符号化処理を行い前記基地局波送受信部に対して出力する基地局波処理部と、
前記他の無線端末装置から無線信号を直接受信して復調するとともに、前記他の無線端末装置に対し無線信号を変調して直接送信する直接波送受信部と、
前記直接波送受信部で受信した信号の音声復号化処理を行い前記スピーカに出力するとともに、前記マイクから入力された音声信号の音声符号化処理を行い前記直接波送受信部に対して出力する直接波処理部と、
前記基地局波送受信部で受信した信号に含まれる送信元の無線端末装置を特定する装置識別子が、前記直接波送受信部で受信した信号に含まれる送信元の無線端末装置を特定する装置識別子と一致する場合に、前記直接波処理部又は前記基地局波処理部への電源供給を停止させる制御部と、を備えることを特徴とする無線端末装置
【符号の説明】
【００３０】
１０…基地局、１１…基地局アンテナ、２０…無線端末装置、２１…基地局波アンテナ、２２…基地局波送受信部、２３…基地局波処理部、２５…制御部、２６…記憶部、２７…マイク、２８…スピーカ、２９…操作部、３１…直接波アンテナ、３２…直接波送受信部、３３…直接波処理部。
【図１】
2013106174.tif 000003
【図２】
2013106174.tif 000004
【図３】
2013106174.tif 000005